(57)【要約】【課題】操作効率を向上することができるプロセス監視装置およびプロセス監視方法を提供すること【解決手段】本発明にかかるプロセス監視装置１０は、プロセスサイクルに含まれる各段階に対応付けられた複数のウィンドウ２１、２２、２３、２４、２５と、ウィンドウを選択し、表示するための複数のアイコン２０１、２０２、２０３、２０４、２０５を画面に表示する表示部と、操作者からの入力を受ける入力部１１と、入力部１１に対する入力によって複数のアイコン２０１、２０２、２０３、２０４、２０５のうちから選択されたアイコンに対応するウィンドウの表示領域内にカーソルを移動して表示するように表示部に指示する表示制御部１２を備える。【選択図】図２
2010152607.tif 000002
【特許請求の範囲】
【請求項１】
プロセスサイクルに含まれる各段階に対応付けられた複数のウィンドウと、前記ウィンドウを選択し、表示するための複数のアイコンを画面に表示する表示部と、
操作者からの入力を受ける入力部と、
前記入力部に対する入力によって前記複数のアイコンのうちから選択されたアイコンに対応するウィンドウの表示領域内にカーソルを移動して表示するように前記表示部に指示する表示制御部を備えたプロセス監視装置。
【請求項２】
前記アイコンは、前記プロセスサイクルに含まれる各段階のそれぞれに対応するように区画された領域のそれぞれに表示される請求項１に記載のプロセス監視装置。
【請求項３】
前記表示制御部は、さらに前記複数のアイコンのうちから選択されたアイコンに対応するウィンドウをアクティブ表示にするように前記表示部に指示する請求項１又は２に記載のプロセス監視装置。
【請求項４】
前記プロセスサイクル上の段階は、計画段階、実施・実行段階、点検・評価段階および処置・改善段階に分類されることを特徴とする請求項１乃至３のいずれかに記載のプロセス監視装置。
【請求項５】
前記画面は、複数のディスプレイを並設して構成した画面である請求項１乃至４のいずれかに記載のプロセス監視装置。
【請求項６】
前記プロセス監視装置は、マークアップ言語によって記述され、前記ウィンドウの構成を示す構成情報を他の情報処理装置から取得する構成情報取得部をさらに備え、
前記表示部は、前記構成情報に基づいて、前記ウィンドウを表示する請求項１乃至５のいずれかに記載のプロセス監視装置。
【請求項７】
プロセスサイクルに含まれる各段階に対応付けられた複数のウィンドウと、前記ウィンドウを選択し、表示するための複数のアイコンを前記画面に表示するステップと、
操作者からの入力によって、前記複数のアイコンのうちから選択されたアイコンに対応するウィンドウの表示領域内にカーソルを移動して表示するステップを備えたプロセス監視方法。
【発明の詳細な説明】
【技術分野】
【０００１】
本発明は、プロセス監視装置およびプロセス監視方法に関する。
【背景技術】
【０００２】
プラントのプロセスを監視する装置には、大画面表示装置にプラントの運転計画、プロセス制御状態またはアラーム解析結果などのプロセスに関する情報のそれぞれをウィンドウとして表示するものがある。操作者は、大画面表示装置に表示された複数のウィンドウのうちから、所望のウィンドウを選択して、情報の参照または入力をするなどして、プロセスの監視を行っている。
【０００３】
しかし、上述のように、表示装置に複数のウィンドウが表示されている場合、操作者は、所望のウィンドウを即座に選択して操作を行いにくく、操作の効率が悪くなってしまうという問題がある。
【０００４】
なお、特許文献１には、大画面表示手段に表示している描画データを端末手段に供給し、大画面表示手段に表示されている画面と相似の画面を表示することにより、端末装置においてカーソル位置指定を行えるようにし、大画面表示手段の操作位置指定を容易かつ確実に行うことができる技術が開示されている。
また、特許文献２には、カーソルの制御権を切り替える手段により、大型スクリーンに表示されている監視ステーションのプロセス制御画面のうちの手元の操作監視ステーション以外の操作監視ステーションに対しても操作を行うことができる技術が開示されている。
【特許文献１】特開平１０−４００６５号公報
【特許文献２】特開２００４−１２６９６２号公報
【発明の開示】
【発明が解決しようとする課題】
【０００５】
背景技術として説明したように、画面に複数のウィンドウが表示されている場合、操作の効率が悪くなってしまうという問題がある。
【０００６】
本発明の目的は、上述したような課題を解決するためになされたものであり、操作効率を向上することができるプロセス監視装置およびプロセス監視方法を提供することにある。
【課題を解決するための手段】
【０００７】
本発明の第１の態様にかかるプロセス監視装置は、プロセスサイクルに含まれる各段階に対応付けられた複数のウィンドウと、前記ウィンドウを選択し、表示するための複数のアイコンを画面に表示する表示部と、操作者からの入力を受ける入力部と、前記入力部に対する入力によって前記複数のアイコンのうちから選択されたアイコンに対応するウィンドウの表示領域内にカーソルを移動して表示するように前記表示部に指示する表示制御部を備えたものである。
【０００８】
また、前記アイコンは、前記プロセスサイクルに含まれる各段階のそれぞれに対応するように区画された領域のそれぞれに表示されるようにしてもよい。
【０００９】
さらに、前記表示制御部は、さらに前記複数のアイコンのうちから選択されたアイコンに対応するウィンドウをアクティブ表示にするように前記表示部に指示するようにしてもよい。
【００１０】
さらにまた、前記プロセスサイクル上の段階は、計画段階、実施・実行段階、点検・評価段階および処置・改善段階に分類されるようにしてもよい。
【００１１】
ここで、前記画面は、複数のディスプレイを並設して構成した画面であってもよい。
【００１２】
また、前記プロセス監視装置は、マークアップ言語によって記述され、前記ウィンドウの構成を示す構成情報を他の情報処理装置から取得する構成情報取得部をさらに備え、前記表示部は、前記構成情報に基づいて、前記ウィンドウを表示するようにしてもよい。
【００１３】
本発明の第２の態様にかかるプロセス監視方法は、プロセスサイクルに含まれる各段階に対応付けられた複数のウィンドウと、前記ウィンドウを選択し、表示するための複数のアイコンを前記画面に表示するステップと、操作者からの入力によって、前記複数のアイコンのうちから選択されたアイコンに対応するウィンドウの表示領域内にカーソルを移動して表示するステップを備えたものである。
【発明の効果】
【００１４】
本発明により、操作効率を向上することができるプロセス監視装置およびプロセス監視方法を提供することができる。
【発明を実施するための最良の形態】
【００１５】
以下、本発明の実施の形態について、図面を参照しながら説明する。
ここで、発明の実施の形態の説明において、使用する用語について説明する。
ＰＤＣＡとは、事業活動において、品質管理や業務改善などを行うための管理サイクルの１つである。
ＰＤＣＡサイクルは、以下の４段階から構成される。
Ｐｌａｎ（計画）：従来の実績や将来の予測などをもとにして業務計画を作成する。
Ｄｏ（実施・実行）：計画に沿って業務を行う。
Ｃｈｅｃｋ（点検・評価）：業務の実施が計画に沿っているかどうかを確認する。
Ａｃｔ（処置・改善）：実施が計画に沿っていない部分を調べて処置をする。
【００１６】
図１は、本発明の実施の形態にかかるプロセス監視装置を含んだプロセスシステムの全体構成図である。
プロセスシステムは、プロセス監視装置１０、大画面表示装置２０、入力装置３０、運転計画サーバ４１、プロセス制御サーバ４２、トレンドデータサーバ４３、アラーム解析サーバ４４、Ｗｅｂ（World Wide Web）カメラ録画サーバ４５、Ｗｅｂカメラ４６及びプラント５０を備える。
【００１７】
プロセス監視装置１０は、操作者がプラント５０におけるプロセスを監視する装置である。  
大画面表示装置２０は、プロセスに関する情報を含んだ複数のウィンドウを表示する。大画面表示装置２０は、例えば、複数のディスプレイを並設して構成した表示装置である。
入力装置３０は、操作者からの入力をプロセス監視装置１０に出力する。入力装置３０は、例えば、マウス等のポインティングデバイスやキーボード等である。
【００１８】
運転計画サーバ４１は、プラント５０の運転計画に関する運転計画情報を格納する。
プロセス制御サーバ４２は、プラント５０におけるプロセス制御を行う。また、プロセス制御サーバ４２は、プロセス制御に関するプロセス制御情報を格納する。
トレンドデータサーバ４３は、プラント５０におけるトレンドデータを取得する。また、トレンドデータサーバ４３は、取得したトレンドデータを格納する。
アラーム解析サーバ４４は、プラント５０において発生した異常などを示すアラーム情報をプラント５０から取得し、アラーム情報を解析する処理を行う。また、アラームアラーム解析サーバ４４は、アラーム情報の解析結果であるアラーム解析情報を格納する。
Ｗｅｂカメラ録画サーバ４５は、Ｗｅｂカメラ４６によって撮影した内容を録画した録画情報を格納する。
【００１９】
なお、上述の各サーバ４１、４２、４３，４４，４５は、それぞれが格納する情報もしくはデータに基づいて、大画面表示装置２０に表示するウィンドウ２１、２２、２３、２４、２５の構成を示す構成情報を生成して、プロセス監視装置１０にネットワーク６１を介して送信する。
Ｗｅｂカメラ４６は、プラント５０の状況を撮影する。
プラント５０は、監視対象となる工場、設備等である。
ネットワーク６１、６２は、インターネットやイントラネット等の任意のネットワーク通信手段である。
【００２０】
続いて、本発明の実施の形態にかかるプロセス監視装置について説明する。図２は、本発明の実施の形態にかかるプロセス監視装置のブロック図である。
プロセス監視装置１０は、ＰＣ（Personal Computer）やサーバ等の情報処理装置であり、任意のＯＳ（Operating System）やアプリケーションを実行可能である。プロセス監視装置１０は、入力部１１、表示制御部１２、表示処理部１３、構成情報取得部１４、運転計画アプリケーション１１１、ＳＣＡＤＡ（Supervisory Control And Data Acquisition）アプリケーション１１２、トレンドアプリケーション１１３、アラーム解析アプリケーション１１４及びＷｅｂアプリケーション１１５を有する。
【００２１】
入力部１１は、入力装置３０からの入力を処理する。
表示制御部１２は、大画面表示装置２０に表示するウィンドウ２１、２２、２３、２４、２５やカーソル２９の表示を制御する。
表示処理部１３は、大画面表示装置２０にウィンドウ２１、２２、２３、２４、２５やカーソル２９を表示する処理を行う。なお、表示処理部１３は、ウィンドウ２１、２２、２３、２４、２５をアプリケーション１１１、１１２、１１３、１１４、１１５から出力された情報に基づいて表示する。
構成情報取得部１４は、各サーバ４１、４２、４３、４４、４５から送信されたウィンドウの構成を示す構成情報を、ネットワーク６１を介して取得する。構成情報取得部１４は、取得した構成情報を各アプリケーション１１１、１１２、１１３、１１４、１１５に出力する処理を行う。
【００２２】
運転計画ウィンドウ２１は、プラント５０の運転計画を表示するとともに、運転計画を入力することができるウィンドウである。運転計画ウィンドウ２１は、ＰＤＣＡサイクル上のＰｌａｎ（計画）段階に関連付けられたウィンドウである。
ＳＣＡＤＡウィンドウ２２は、操作者がプラント５０のプロセス制御状態を表示するとともに、プロセス制御を行うことができるウィンドウである。ＳＣＡＤＡウィンドウ２２は、ＰＤＣＡサイクル上のＤｏ（実施・実行）段階に関連付けられたウィンドウである。
トレンドウィンドウ２３は、トレンドを表示するウィンドウである。
アラーム解析ウィンドウ２４は、アラーム解析結果を表示するウィンドウである。トレンドウィンドウ２３及びアラーム解析ウィンドウ２４は、ＰＤＣＡサイクル上のＣｈｅｃｋ（点検・評価）段階に関連付けられたウィンドウである。
Ｗｅｂカメラウィンドウ２５は、Ｗｅｂカメラ４６によって、録画や撮影がされている映像を表示するウィンドウである。Ｗｅｂカメラウィンドウ２５は、ＰＤＣＡサイクル上のＡｃｔ（処置・改善）段階に関連付けられたウィンドウである。
【００２３】
このように、各ウィンドウ２１、２２、２３、２４、２５は、表示や操作をすることができる内容に従って、ＰＤＣＡサイクル上の段階のそれぞれに関連付けられる。
カーソル２９は、操作者が画面のうちの所望の操作対象を指定することができるインタフェースである。カーソル２９は、例えば、マウスカーソルである。
【００２４】
運転計画アプリケーション１１１は、運転計画サーバ４１から取得した構成情報に基づいて、運転計画ウィンドウ２１を表示する情報を表示処理部１３に出力する。
ＳＣＡＤＡアプリケーション１１２は、プロセス制御サーバ４２から取得した構成情報に基づいて、ＳＣＡＤＡウィンドウ２２を表示する情報を表示処理部１３に出力する。
トレンドアプリケーション１１３は、トレンドデータサーバ４３から取得した構成情報に基ついて、トレンドウィンドウ２３を表示する情報を表示処理部１３に出力する。
アラーム解析アプリケーション１１４は、アラーム解析サーバ４４から取得した構成情報に基づいて、アラーム解析ウィンドウ２４を表示する情報を表示処理部１３に出力する。
Ｗｅｂカメラアプリケーション１１５は、Ｗｅｂカメラ録画サーバ４５から取得した構成情報に基づいて、Ｗｅｂカメラウィンドウ２５を表示する情報を表示処理部１３に出力する。
【００２５】
上述のように、プロセス制御やトレンドデータの取得といったプラントに対する処理は、各サーバ４１、４２、４３，４４，４５側によって行われており、プロセス監視装置１０は、画面表示に関する情報を取得して表示する、いわゆるシンクライアントの形態をとっている。つまり、各アプリケーション１１１、１１２、１１３、１１４、１１５は、主にウィンドウを表示する処理を行う。なお、表示処理部およびアプリケーションは、表示部として機能する。
【００２６】
ここで、構成情報は、例えば、ＨＴＭＬ（Hyper Text Markup Language）、ＸＨＴＭＬ（Extensible Hyper Text Markup Language）、ＳＧＭＬ（Standard Generalized Markup Language）やＸＭＬ（Extensible Markup Language）のようなメタ言語などのマークアップ言語によって記述される。例えば、上述のアプリケーションは、ブラウザの機能を含み、もしくはブラウザの機能を利用する等によって、ＨＴＭＬによって記述された構成情報を取得してウィンドウ表示を行う。
【００２７】
続いて、本発明の実施の形態にかかるプロセス監視装置の処理について説明する。図３は、本発明の実施の形態にかかるプロセス監視装置の処理を示すフローチャートである。また、図４に、本発明の実施の形態にかかる画面表示の遷移図を、図５に、本発明の実施の形態にかかるウィンドウ選択画像の遷移図を示す。
なお、大画面表示装置２０には、始めに図４（a）に示すようにウィンドウ及びカーソルが表示されているものとする。
【００２８】
まず、操作者は、大画面表示装置２０に表示されているウィンドウ２１、２２、２３、２４、２５のうちから、いずれかのウィンドウを選択してアクティブ表示にしたい場合、入力装置３０にウィンドウ選択を行う旨の選択開始入力を行う。
入力装置３０から入力を受けた入力部１１は、入力に応じて選択開始要求を表示制御部１２に出力する。そして、表示制御部１２は、入力部１２から出力された選択開始要求を取得し、これに応じて、ウィンドウ選択画像２００を表示するように指示する表示要求を表示処理部１３に出力する。表示処理部１３は、表示制御部１２から出力された表示要求を取得し、これに応じて、図４（b）に示すように、ウィンドウ選択画像２００を表示する（Ｓ３０１）。
【００２９】
なお、選択開始入力は、任意の方式に決定することができ、どのような入力方式であってもよい。例えば、ＷＩＮＤＯＷＳ（登録商標）のフリップ機能のように、Ａｌｔ＋Ｔａｂキーを入力することによって、ウィンドウ選択画面２００を表示させる。
【００３０】
また、図５（a）にステップＳ３０１において表示されるウィンドウ選択画面２００を示す。
ウィンドウ選択画像２００は、大画面表示装置２０に表示される各ウィンドウ２１、２２、２３、２４、２５を示す画像であるアイコン２０１、２０２、２０３、２０４、２０５を含む。
【００３１】
運転計画アイコン２０１は、運転計画ウィンドウ２１を示す画像である。
ＳＣＡＤＡアイコン２０２は、ＳＣＡＤＡウィンドウ２２を示す画像である。
トレンドアイコン２０３は、トレンドウィンドウ２３を示す画像である。
アラーム解析アイコン２０４は、アラーム解析ウィンドウ２４を示す画像である。
Ｗｅｂカメラアイコン２０５は、Ｗｅｂカメラウィンドウ２５を示す画像である。
選択カーソル２１０は、選択されているアイコンを示す。図５（a）は、運転計画アイコン２０１が選択されている状態である。なお、選択されているアイコンを示す選択表示は、選択されているアイコンを識別できるものであれば、本実施の形態に例示した表示に限られない。例えば、選択されているアイコンの色を反転表示してもよい。
【００３２】
ここで、ウィンドウ選択画像２００は、ＰＤＣＡサイクルにおける各段階に対応するように領域が分かれている。各アイコン２１、２２、２３、２４、２５は、それぞれのアイコンに対応するウィンドウが関連付けられたＰＤＣＡサイクル上の段階に対応する領域内に表示される。
操作者は、ウィンドウ選択画像２００に表示されているアイコンから所望のアイコンを選択することによって、選択したアイコンに対応するウィンドウをアクティブ表示にすることができる。
【００３３】
なお、ウィンドウ選択画像２００は、予め画面の任意の場所に表示されているようにしてもよい。
また、ウィンドウを示す画像は、対応するウィンドウを示す画像であればどのようなものであってもよい。例えば、ウィンドウを示す画像をサムネイルによって表示したサムネイルアイコンとしてもよく、ＷＩＮＤＯＷＳ（登録商標）のフリップ３Ｄ機能のように、ウィンドウを示す画像を３Ｄによって表示した３Ｄアイコンとしてもよい。また、ＷＩＮＤＯＷＳ（登録商標）のフリップ機能のように、選択表示されていうアイコンに対応するウィンドウの名称を表示してもよい。
【００３４】
次に、操作者は、現在選択表示となっているアイコンと異なるアイコンに対応するウィンドウを選択したい場合、入力装置３０にウィンドウを選択する選択入力を行う。
入力装置３０から入力を受けた入力部１１は、入力された選択要求を表示制御部１２に出力する。そして、表示制御部１２は、入力部１２から出力された選択要求を取得し、これに応じて、選択カーソル２１０を移動して表示するように指示する選択要求を表示処理部１３に出力する。表示処理部１３は、表示制御部１２から出力された選択要求を取得し、これに応じて、選択カーソル２１０を次に選択表示にするアイコンに移動して表示する（Ｓ３０２、Ｓ３０３）。つまり、選択入力が行われることによって、選択表示にするアイコンを順次切り替えていく。
【００３５】
本実施の形態では、選択入力が行われると、運転計画アイコン２０１、ＳＣＡＤＡアイコン２０２、トレンドアイコン２０３、アラーム解析アイコン２０４、Ｗｅｂカメラアイコン２０５のＰＤＣＡサイクルの順番に選択カーソル２１０を移動する。よって、２回の選択入力を行うと、ウィンドウ選択画像２００は、図５（b）に示す表示となる。
なお、選択入力は、任意の方式に決定することができ、どのような入力方式であってもよい。例えば、ＷＩＮＤＯＷＳ（登録商標）のフリップ機能のように、Ａｌｔキーを押下したまま、Ｔａｂキーを入力することによって、選択表示を移動させる。
【００３６】
次に、図５（b）に示す状態において、現在選択しているトレンドアイコン２０３に対応するトレンドウィンドウ２３をアクティブにしたい場合、入力装置３０に現在の選択を確定する選択確定入力を行う。
入力装置３０から入力を受けた入力部１１は、入力された選択確定要求を表示制御部１２に出力する。そして、表示制御部１２は、入力部１２から出力された選択確定要求を取得し、これに応じて、選択されているアイコンに対応するウィンドウをアクティブ表示にするように表示処理部１３に指示するアクティブ表示要求を表示処理部１３に出力する。表示処理部１３は、表示制御部１２から出力されたアクティブ表示要求を取得し、これに応じて、図４（c）に示すように、トレンドウィンドウ２３をアクティブ表示にする（Ｓ３０５、Ｓ３０６）。また、表示処理部１３は、アクティブ表示にしたウィンドウの表示領域内に、カーソル２９を移動して表示する（Ｓ３０５）。
【００３７】
なお、選択確定入力は、任意の方式に決定することができ、どのような入力方式であってもよい。また、入力でなくてもよい。例えば、ＷＩＮＤＯＷＳ（登録商標）のフリップ機能のように、Ａｌｔキーの押下を解除することにより、ウィンドウの選択を確定させる。
【００３８】
以上のように、本実施の形態によれば、ウィンドウのそれぞれを示すアイコンのうちから選択されたアイコンに対応するウィンドウの表示領域内にカーソルを移動して表示するため、カーソルの移動を手動によって行う必要がなくなり、効率の良い操作を実現することができる。また、本実施の形態のように、大画面表示装置であれば、カーソルの長距離移動を手動によって行う必要がなくなるため、より効率の良い操作を実現することができる。
【００３９】
その他に、ＰＤＣＡサイクル上の段階のそれぞれに対応するように区画された領域にアイコンを表示することによって、アイコンの表示のみでなく、さらにＰＤＣＡサイクル上の段階によって選択するウィンドウを判断することができるため、所望のウィンドウを即座に選択することができる。
【００４０】
また、プロセス監視においては、Ｐｌａｎ（計画）段階に対応する運転計画は管理者、Ｃｈｅｃｋ（点検・評価）段階に対応するアラーム解析結果はエンジニアといったように、職層によって操作対象となる情報が分かれているものである。しかし、１人の操作者がプロセス監視の各職層における作業を行う、いわゆるワンマンオペレーションであっても、ＰＤＣＡサイクル上の段階によって選択するウィンドウを判断することができるため、職層に従ったオペレーションを容易に実行することができる。つまり、特許文献１、２に開示されているように複数の端末装置により構成することなく、１台の表示装置と、１台の情報処理装置により、プロセス監視を行うことができる。
【００４１】
さらに、ウィンドウの構成を示す構成情報を他の情報処理装置から取得する、シンクライアントの形態をとっているため、負荷を軽減することができる。例えば、プロセス監視装置が、１台のＰＣにより構成されている場合であっても、多数のアプリケーションを動作させて、それぞれに対応するウィンドウを表示することができる。
【００４２】
以上に説明した本発明にかかるプロセス監視装置は、上述の実施の形態の機能を実現するプログラムもしくは上述したようなアプリケーションのプログラムを記憶した記憶媒体をシステムもしくは装置に供給し、システムあるいは装置の有するコンピュータ又はＣＰＵ（Central Processing Unit）、ＭＰＵ（Micro Processing Unit）がこれらのプログラムを実行することによって、構成することが可能である。
【００４３】
ここで、図６を用いて、上述したようなアプリケーションのプログラムを実装する方法の一例を説明する。
上述したようなアプリケーションのプログラムを装置などに実装する場合、これらのアプリケーションのプログラムファイルの属性に、予めＰＤＣＡサイクル上のいずれかの段階を示す属性情報を設定しておくようにする。表示制御部１２は、これらのアプリケーションのプログラムをロードして実行する場合に、プログラムファイルの属性を読み込んで属性情報を取得する。表示制御部１２は、取得した属性情報を各アプリケーションやそのウィンドウ等を示す情報と関連付けたＰＤＣＡ関連付け情報を記憶手段８０に記憶しておく。記憶手段８０は、例えば、メモリやＨＤＤ(Hard Disk Drive)等により構成される。
【００４４】
そして、表示制御部１２は、表示処理部１３にウィンドウ選択画像の表示を指示するときに、記憶手段８０からＰＤＣＡ関連付け情報を取得する。これにより、表示制御部１２は、取得したＰＤＣＡ関連付け情報に基づいて、各ウィンドウに対応したアイコンを、ウィンドウ選択画像のＰＤＣＡサイクル上のそれぞれの段階に対応する領域のうちのどの領域に表示すればよいかも、ウィンドウ選択画像の表示とともに表示処理部１３に指示することができる。なお、表示処理部１３がウィンドウ選択画像の表示の指示を受けたときに、記憶手段８０からＰＤＣＡ関連付け情報を取得して、ウィンドウ選択画像のＰＤＣＡサイクル上のそれぞれの段階に対応する領域のうちのどの領域に、どのアイコンを表示すればよいかを判断するようにしてもよい。
【００４５】
また、これらのプログラムは様々な種類の記憶媒体に格納することが可能であり、通信媒体を介して伝達されることが可能である。ここで、記憶媒体には、例えば、フレキシブルディスク、ハードディスク、磁気ディスク、光磁気ディスク、ＣＤ−ＲＯＭ（Compact Disk Read Only Memory）、ＤＶＤ（Digital Versatile Disk）、ＢＤ（Blu-ray Disk）、ＲＯＭ（Read Only Memory）カートリッジ、バッテリバックアップ付きＲＡＭ（Random Access Memory）メモリカートリッジ、フラッシュメモリカートリッジ、不揮発性ＲＡＭカートリッジを含む。また、通信媒体には、電話回線の有線通信媒体、マイクロ波回線の無線通信媒体を含み、インターネット（登録商標）も含まれる。
【００４６】
また、コンピュータが上述の実施の形態の機能を実現するプログラムもしくは上述したようなアプリケーションのプログラムを実行することにより、上述の実施の形態の機能が実現されるだけではなく、このプログラムの指示に基づき、コンピュータ上で稼動しているＯＳ（Operating System）もしくはアプリケーションソフトと共同して上述の実施の形態の機能が実現される場合も、発明の実施の形態に含まれる。
さらに、これらのプログラムの処理の全てもしくは一部がコンピュータに挿入された機能拡張ボードやコンピュータに接続された機能拡張ユニットにより行われて上述の実施の形態の機能が実現される場合も、発明の実施の形態に含まれる。
【図面の簡単な説明】
【００４７】
【図１】本発明の実施の形態にかかるプロセス監視装置を含んだプロセスシステムの全体構成図である。
【図２】本発明の実施の形態にかかるプロセス監視装置のブロック図である。
【図３】本発明の実施の形態にかかるプロセス監視装置の処理を示すフローチャートである
【図４】本発明の実施の形態にかかる画面表示の遷移図である。
【図５】本発明の実施の形態にかかるウィンドウ選択画像の遷移図である。
【図６】本発明の実施の形態にかかるアプリケーションのプログラムを実装する方法の一例を説明する図である。
【符号の説明】
【００４８】
１０    プロセス監視装置
１１    入力部
１２    表示制御部
１３    表示処理部
１４    構成情報取得部
２０    大画面表示装置
２１、２２、２３、２４、２５    ウィンドウ
３０    入力装置
４１    運転計画サーバ
４２    プロセス制御サーバ
４３    トレンドデータサーバ
４４    アラーム解析サーバ
４５    Ｗｅｂカメラ録画サーバ
４６    Ｗｅｂカメラ
５０    プラント
６１、６２    ネットワーク
８０    記憶手段
１１１、１１２、１１３、１１４、１１５    アプリケーション
２００    ウィンドウ選択画像
２０１、２０２、２０３、２０４、２０５    アイコン
２１０    選択カーソル
【図１】
2010152607.tif 000003
【図２】
2010152607.tif 000004
【図３】
2010152607.tif 000005
【図４】
2010152607.tif 000006
【図５】
2010152607.tif 000007
【図６】
2010152607.tif 000008